(57)【要約】【課題】取り扱いが容易な磁気応答玩具を提供する。【解決手段】磁気応答玩具１は、主玩具体２と、磁気発生部材３１を有する副玩具体３とからなり、主玩具体２は、磁気検知部２１と、動作部２３，２４と、動作データを記憶した動作記憶部２５と、磁気検知部２１にて磁気が検知されたことに応じた動作データに基づいて動作部２３，２４を動作させる動作制御部２６と、を備え、磁気検知部２１は、磁気を検知可能な磁界センサ４０と、磁界センサ４０を間に挟む一対の磁界収束部材４１，４２と、を有し、磁界収束部材４１，４２は、磁界センサ４０の動作磁界方向に磁界センサ４０を通過する第１軸Ｘ上に位置する第１領域Ａ１，Ｂ１と、動作磁界方向と直交する方向に磁界センサ４０を通過する第２軸Ｙ上に位置する第２領域Ａ２，Ｂ２と、第１領域Ａ１，Ｂ１と第２領域Ａ２，Ｂ２とをつなぐ第３領域Ａ３，Ｂ３と、を有する。【選択図】図５
2017018188.tif 000002
【特許請求の範囲】
【請求項１】
主玩具体と、磁気発生部材を有する副玩具体とを備える磁気応答玩具であって、
前記主玩具体は、
磁気検知部と、前記磁気検知部にて磁気が検知されたことに応じた動作が可能な動作部と、を有し、
前記磁気検知部は、磁気を検知可能な磁界センサと、当該磁界センサを間に挟む一対の磁界収束部材と、を有し、
前記磁界収束部材は、前記磁界センサの動作磁界方向に前記磁界センサを通過する第１軸上に位置する第１領域と、前記動作磁界方向と直交する方向に前記磁界センサを通過する第２軸上に位置する第２領域と、前記第１領域と前記第２領域の間に位置する第３領域と、をそれぞれ有する磁気応答玩具。
【請求項２】
請求項１記載の磁気応答玩具であって、
前記磁界センサと前記２領域との隙間は、前記磁界センサと前記第１領域との隙間より大きい磁気応答玩具。
【請求項３】
請求項１記載の磁気応答玩具であって、
一方の磁界収束部材の前記第２領域と他方の磁気収束部材の前記第１領域との隙間は、
前記一方の磁界収束部材の前記第１領域と前記磁界センサとの隙間より大きい磁気応答玩具。
【請求項４】
請求項１から３のいずれか一項記載の磁気応答玩具であって、
前記第１領域の前記磁界センサ側の内側端縁は前記第１領域の前記磁界センサ側とは反対側の外側端縁より短い磁気応答玩具。
【請求項５】
請求項１から４のいずれか一項記載の磁気応答玩具であって、
前記第１領域及び前記第２領域並びに前記第３領域は、前記一対の磁界収束部材の間で前記磁界センサを中心に点対称に設けられている磁気応答玩具。
【請求項６】
請求項１から５のいずれか一項記載の磁気応答玩具であって、
前記第１領域の前記磁界センサ側とは反対側の外側端縁と、前記第２領域の前記磁界センサ側とは反対側の外側端縁とは略等しい長さに形成されている磁気応答玩具。
【請求項７】
請求項１から６のいずれか一項記載の磁気応答玩具であって、
前記第３領域の前記磁界センサ側とは反対側の外側端縁は、前記第１軸及び前記第２軸に対して傾斜している磁気応答玩具。
【請求項８】
請求項７記載の磁気応答玩具であって、
前記第３領域の前記磁界センサ側とは反対側の外側端縁は、前記第１軸及び前記第２軸に対して略４５度傾斜している磁気応答玩具。
【請求項９】
請求項１から８のいずれか一項記載の磁気応答玩具であって、
前記磁界収束部材は、軟磁性体からなる磁気応答玩具。
【請求項１０】
請求項１から９のいずれか一項記載の磁気応答玩具であって、
前記主玩具体は、前記動作部を動作させるための動作データを記憶した動作記憶部と、前記磁気検知部にて磁気が検知されたことに応じた動作データを前記動作記憶部から読み出し、当該読み出した動作データに基づいて前記動作部を動作させる動作制御部と、
を有する磁気応答玩具。
【発明の詳細な説明】
【技術分野】
【０００１】
本発明は、磁石等の磁気発生部材の磁気に応答して動作する玩具に関する。
【背景技術】
【０００２】
特許文献１に記載された玩具は、磁界センサを有する主玩具体と、永久磁石を有する副玩具体とを備え、主玩具体の磁界センサに副玩具体の磁石を接近させることにより、磁界センサが磁界を検知し、音声や発光を含む演出を出力し、出力する演出を変化させる。
【０００３】
磁界センサとして用いられる磁気抵抗効果素子（ＭＲ素子）やリードスイッチやホール素子は、一般に検知可能な磁界の向き（以下、動作磁界方向という）が定められており、特許文献１に記載された玩具では、磁気を収束させる磁界収束部材が磁界センサの動作磁界方向に隣設されており、磁界センサの検知可能な範囲が拡大されている。
【先行技術文献】
【特許文献】
【０００４】
【特許文献１】特許第５５０９３５５号公報
【発明の概要】
【発明が解決しようとする課題】
【０００５】
特許文献１に記載された玩具では、副玩具体の磁石は主玩具体の磁界センサの動作磁界方向に沿って配置される必要がある。この種の玩具の使用者としては幼児等が想定されるところ、磁界センサが検知可能な姿勢に幼児等が磁石を適切に合わせられない場合も発生する。
【０００６】
本発明は、上述した事情に鑑みなされたものであり、幼児等でも取り扱いが容易な磁気応答玩具を提供することを目的とする。
【課題を解決するための手段】
【０００７】
本発明に係る磁気応答玩具は、主玩具体と、磁気発生部材を有する副玩具体とを備える磁気応答玩具であって、前記主玩具体は、磁気検知部と、前記磁気検知部にて磁気が検知されたことに応じた動作が可能な動作部と、を有し、前記磁気検知部は、磁気を検知可能な磁界センサと、当該磁界センサを間に挟む一対の磁界収束部材と、を有し、前記磁界収束部材は、前記磁界センサの動作磁界方向に前記磁界センサを通過する第１軸上に位置する第１領域と、前記動作磁界方向と直交する方向に前記磁界センサを通過する第２軸上に位置する第２領域と、前記第１領域と前記第２領域の間に位置する第３領域と、をそれぞれ有することを特徴とする。
【０００８】
また、本発明に係る磁気応答玩具においては、前記磁界センサと前記２領域との隙間は、前記磁界センサと前記第１領域との隙間より大きくてもよい。
【０００９】
また、本発明に係る磁気応答玩具においては、一方の磁界収束部材の前記第２領域と他方の磁気収束部材の前記第１領域との隙間は、前記一方の磁界収束部材の前記第１領域と前記磁界センサとの隙間より大きくてもよい。
【００１０】
また、本発明に係る磁気応答玩具においては、前記第１領域の前記磁界センサ側の内側端縁は前記第１領域の前記磁界センサ側とは反対側の外側端縁より短くてもよい。
【００１１】
また、本発明に係る磁気応答玩具においては、前記第１領域及び前記第２領域並びに前記第３領域は、前記一対の磁界収束部材の間で前記磁界センサを中心に点対称に設けられていてもよい。
【００１２】
また、本発明に係る磁気応答玩具においては、前記第１領域の前記磁界センサ側とは反対側の外側端縁と、前記第２領域の前記磁界センサ側とは反対側の外側端縁とは略等しい長さに形成されていてもよい。
【００１３】
また、本発明に係る磁気応答玩具においては、前記第３領域の前記磁界センサ側とは反対側の外側端縁は、前記第１軸及び前記第２軸に対して傾斜していてもよい。
【００１４】
また、本発明に係る磁気応答玩具においては、前記第３領域の前記磁界センサ側とは反対側の外側端縁は、前記第１軸及び前記第２軸に対して略４５度傾斜していてもよい。
【００１５】
また、本発明に係る磁気応答玩具においては、前記磁界収束部材は、軟磁性体からなってもよい。
【００１６】
また、本発明に係る磁気応答玩具においては、前記主玩具体は、前記動作部を動作させるための動作データを記憶した動作記憶部と、前記磁気検知部にて磁気が検知されたことに応じた動作データを前記動作記憶部から読み出し、当該読み出した動作データに基づいて前記動作部を動作させる動作制御部と、を有してもよい。
【発明の効果】
【００１７】
本発明によれば、幼児等でも取り扱いが容易な磁気応答玩具を提供することができる。
【図面の簡単な説明】
【００１８】
【図１】本発明の実施形態を説明するための、磁気応答玩具の一例の外観図である。
【図２】図１の磁気応答玩具の構成を示すブロック図である。
【図３】図１の主玩具体の動作制御部が実行する処理を示すフロー図である。
【図４】図１の主玩具体の磁気検知部の斜視図である。
【図５】図１の主玩具体の磁気検知部の正面図である。
【図６】図１の主玩具体の磁気検知部における磁束の流れを模式的に示す斜視図である。
【発明を実施するための形態】
【００１９】
図１は、本発明の実施形態を説明するための磁気応答玩具の一例の外観を示す。
【００２０】
図１に示す磁気応答玩具１は、主玩具体２と、副玩具体３とからなる。主玩具体２は、使用者が把持可能な剣を模した形状で構成されており、副玩具体３は、使用者の腰部に装着可能なベルトとして構成されている。
【００２１】
副玩具体３には、例えば永久磁石や電磁石などの磁気発生部材３１が設けられており、主玩具体２の剣身部分には、磁界センサを含む磁気検知部２１が設けられている。
【００２２】
主玩具体２は、例えば音声や光などを用いた演出を出力可能に構成され、例えば把持部分の近傍に設けられたトリガーボタン２２に対する操作に応じて演出が出力される。そして、主玩具体２には、出力される演出が異なる２つの動作モード（通常モード及び必殺技モード）が用意されており、磁気検知部２１における磁気検知に応じて動作モードが切り替わる。
【００２３】
図２は、磁気応答玩具１の機能的構成を示す。
【００２４】
主玩具体２は、磁気検知部２１と、操作部としてのトリガーボタン２２と、動作部としての音声発生部２３及び発光部２４と、動作モード（通常モード及び必殺技モード）毎の音声発生部２３及び発光部２４の動作データを記憶した動作記憶部２５と、動作制御部２６と、電源部２７とを備えている。
【００２５】
動作制御部２６は、磁気検知部２１において磁気が検知された場合に動作モードを切り替える。本例では、動作制御部２６は、電源部２７に設けられた図示しない電源スイッチがＯＮ操作されて主玩具体２が起動されるのに伴い、まず動作モードを通常モードに設定する。そして、動作制御部２６は、通常モードが設定されている間に磁気検知部２１において磁気を検知した場合に、動作モードを必殺技モードに切り替え、必殺技モードへの移行から所定時間経過後に再び動作モードを通常モードに戻す。
【００２６】
そして、動作制御部２６は、トリガーボタン２２が操作された場合に、その操作を検出し、設定されている動作モード及び動作記憶部２５に記憶された動作データに基づいて、音声発生部２３及び発光部２４を動作させる。
【００２７】
音声発生部２３は、スピーカ等の発音体を含んで構成され、動作制御部２６による制御のもとで、動作モードに応じた音声を発生させる。すなわち、磁気検知部２１にて磁気が検知され必殺技モードに切り替わった場合は、必殺技モードに応じた音声（つまり、磁気検知部２１にて磁気が検知されたことに応じた動作）を発生させることが可能である。発光部２４は、ＬＥＤ（Light Emitting Diode）等の発光体を含んで構成され、動作制御部２６による制御のもとで、動作モードに応じた態様で発光する。すなわち、磁気検知部２１にて磁気が検知され必殺技モードに切り替わった場合は、必殺技モードに応じた態様で発光することが可能である（つまり、磁気検知部２１にて磁気が検知されたことに応じた動作が可能である）。
【００２８】
磁気検知部２１は、詳細は後述するが、主玩具体２と副玩具体３とが接触し又は近接し、磁気検知部２１が磁気を検知可能な範囲内に磁気発生部材３１が位置した際に、磁気発生部３１が発する磁気を検知する。
【００２９】
図３は、動作制御部２６が実行する処理のフローを示す。
【００３０】
主玩具体２の動作制御部２６は、主玩具体２が起動されるのに伴い、まず動作モードを通常モードに設定する（ステップＳ１）。
【００３１】
そして、動作制御部２６は、磁気検知部２１における磁気検知の有無を判定する（ステップＳ２）。
【００３２】
磁気検知部２１において磁気が検知された場合に（ステップＳ２：Ｙｅｓ）、動作制御部２６は、動作モードを通常モードから必殺技モードに設定する（ステップＳ３）。そして、動作制御部２６は、タイマーをリセットし、計時を開始する（ステップＳ４）。
【００３３】
動作制御部２６は、トリガーボタン２２の操作の有無を判定する（ステップＳ５）。トリガー操作が有った場合には（ステップＳ５：Ｙｅｓ）、動作制御部２６は、動作記憶部２５に記憶された必殺技モードに対応する必殺技動作データ（すなわち、磁気検知部２１にて磁気が検知されたことに応じた動作データ）を読み出し（ステップＳ６）、読み出した動作データに基づいて音声発生部２３及び発光部２４を動作させる（ステップＳ７）。トリガー操作が無い場合には（ステップＳ５：Ｎｏ）、上記のステップＳ６、ステップＳ７の処理をスキップする。
【００３４】
そして、動作制御部２６は、タイマーを参照し、必殺技モードに移行してからの経過時間ｔが所定時間ｔ０（例えば３０秒）以下であるか否かを判定する（ステップＳ８）。経過時間ｔが所定時間ｔ０以下である場合には（ステップＳ８：Ｙｅｓ）、動作制御部２６は、必殺技モードを継続し、上記のステップＳ５〜Ｓ８の処理を繰り返す。経過時間ｔが所定時間ｔ０を超えている場合には（ステップＳ８：Ｎｏ）、動作制御部２６は、計時を停止して必殺技モードを終了し、上記のステップＳ１の処理に戻り、動作モードを通常モードに設定する。
【００３５】
磁気検知部２１において磁気が検知されていない場合には（ステップＳ２：Ｎｏ）、動作制御部２６は、トリガーボタン２２の操作の有無を判定する（ステップＳ９）。トリガー操作が有った場合には（ステップＳ９：Ｙｅｓ）、動作制御部２６は、動作記憶部２５に記憶された通常モードに対応する通常動作データを読み出し（ステップＳ１０）、読み出した動作データに基づいて音声発生部２３及び発光部２４を動作させる（ステップＳ１１）。トリガー操作が無い場合には（ステップＳ９：Ｎｏ）、上記のステップＳ１０、ステップＳ１１の処理をスキップする。
【００３６】
動作制御部２６は、電源部２７が電源ＯＦＦされて主玩具体２が停止されるまで、上記のステップＳ１〜Ｓ１１の処理を繰り返す。
【００３７】
図４及び図５は、磁気検知部２１の構成を示す。
【００３８】
磁気検知部２１は、磁界センサ４０と、一対の磁界収束部材４１，４２とを有し、主玩具体２の筐体の内部に収容されている。主玩具体３１の磁気検知部２１は所定の磁気検知可能範囲を有しており、副玩具体３の磁気発生部３１が当該磁気検知可能範囲内にあるときに、磁気発生部３１の磁気を検知可能となる。具体的には、主玩具体２の磁気検知部２１と副玩具体３の磁気発生部３１が接触または近接した際に磁気発生部３１の磁気を磁気検出部２１で検知可能とすることが考えられる。例えば、主玩具体２の筐体の側面４３の剣身部の側面４３の内部には、磁気検知部２１が収容されており、側面４３を略平面に形成し、副玩具体３の磁気発生部３１を収容しているバックル部分を略平面に形成しても良い。また、例えば、主玩具体２または副玩具体３が立体形状からなる場合は、主玩具体２の筐体の側面４３の立体形状と副玩具体３の磁気発生部３１を収容しているバックル部分の立体形状とを相対するような立体形状に形成しても良い。また、例えば、主玩具体２と副玩具体３の少なくとも一方に磁気検知部２１が磁気発生部３１の磁気を検知可能となる磁気検知可能範囲の目安となるマークを設けたり目安となる意匠を施したりするのでも良い。これらの例に応じた構成とすることにより、副玩具体３の磁気発生部３１を容易に磁気検知部２１の磁気検知可能範囲内に置くことができる。なお、主玩具体２と副玩具体３の形状や意匠は上述したものに限らない。
【００３９】
磁界センサ４０は、例えば磁気抵抗効果素子（ＭＲ素子）やリードスイッチやホール素子などであり、本実施形態においては、動作磁界方向が筐体の側面４３と略平行となるように配置されている。磁界収束部材４１，４２は、磁性材料からなる板状の部材であって、本実施形態においては、筐体の側面４３と略平行に、且つ磁界センサ４０を間に挟んで配置されている。
【００４０】
磁界収束部材４１は、磁界センサ４０の動作磁界方向に磁界センサ４０を通過する第１軸Ｘ上に位置する第１領域Ａ１と、筐体の側面４３と略平行に且つ動作磁界方向と直交する方向に磁界センサ４０を通過する第２軸Ｙ上に位置する第２領域Ａ２と、第１軸Ｘ及び第２軸Ｙによって形成される平面内で第１領域Ａ１と第２領域Ａ２の間に位置する第３領域Ａ３を有する。なお、本実施形態においては、第３領域Ａ３は第１領域Ａ１と第２領域Ａ２とをつなぐ構成となっているが、本発明はこの構成には限定されない。要するに、第３領域Ａ３は、第１領域Ａ１に流入した磁束φが第３領域Ａ３を経て第２領域Ａ２に流入可能で、また、第２領域Ａ２から流入した磁束φが第３領域Ａ３を経て第１領域Ａ１に流入可能となるように、第１領域Ａ１と第２領域Ａ２との間に位置していればよい。
【００４１】
磁界収束部材４２もまた、磁界センサ４０の動作磁界方向に磁界センサ４０を通過する第１軸Ｘ上に位置する第１領域Ｂ１と、動作磁界方向と直交する方向に磁界センサ４０を通過する第２軸Ｙ上に位置する第２領域Ｂ２と、第１領域Ｂ１と第２領域Ｂ２の間に位置する第３領域Ｂ３を有する。なお、本実施形態においては、第３領域Ｂ３は第１領域Ｂ１と第２領域Ｂ２とをつなぐ構成となっているが、本発明はこの構成には限定されない。要するに、第３領域Ｂ３は、第１領域Ｂ１に流入した磁束φが第３領域Ｂ３を経て第２領域Ｂ２に流入可能で、また、第２領域Ｂ２から流入した磁束φが第３領域Ｂ３を経て第１領域Ｂ１に流入可能となるように、第１領域Ｂ１と第２領域Ｂ２との間に位置していればよい。
【００４２】
第１領域Ａ１，Ｂ１は第１軸Ｘ上で磁界センサ４０を間に挟み、磁界センサ４０を中心に点対称に設けられている。第２領域Ａ２，Ｂ２は第２軸Ｙ上で磁界センサ４０を間に挟み、磁界センサ４０を中心に点対称に設けられている。第３領域Ａ３，Ｂ３は第１軸Ｘ及び第２軸Ｙと略４５°の角度で交差する軸上で磁界センサ４０を間に挟んでおり、磁界センサ４０を中心に点対称に設けられている。なお、第３領域Ａ３、Ｂ３の外側端縁ａ４、ｂ４の、第１軸Ｘおよび第２軸に対する傾斜角度は４５°に限らない。
【００４３】
第１領域Ａ１、Ｂ１の磁界センサ４０側の端部は、磁束を磁界センサ４０に収束させるように、磁界センサ４０に向けて次第に幅が狭くなるテーパ状に形成されている。すなわち、第１領域Ａ１，Ｂ１の磁界センサ４０側の端縁（内側端縁）ａ１，ｂ１の長さｌ１は、磁界センサ４０側とは反対側で第１軸Ｘと交差する端縁（外側端縁）ａ２，ｂ２の長さｌ２より短く形成されている。
【００４４】
図６は、磁気検知部２１における磁束の流れを模式的に示す。
【００４５】
図６（Ａ）は、磁気発生部材３１の磁極対が第１軸Ｘに沿って配置されている場合を示し、磁束φは、磁気発生部材３１から、磁界収束部材４１の第１領域Ａ１の外側端縁ａ２から磁界収束部材４１に流入し、磁界収束部材４１の第１領域Ａ１の内側端縁ａ１に向けて収束される。そして、磁束φは、磁界収束部材４１の第１領域Ａ１と磁界収束部材４２の第１領域Ｂ１との間で第１軸Ｘに沿って（つまり、磁界センサ４０の動作磁界方向に沿って）磁界センサ４０に流入して通過し、磁界収束部材４２の第１領域Ｂ１の内側端縁ｂ１から磁界収束部材４２に流入し、磁界収束部材４２の第１領域Ｂ１の外側端縁ｂ２から放射されて磁気発生部材３１に流入する。したがって、磁気発生部材３１の磁極対が第１軸Ｘに沿って配置されている場合、磁束φは、磁界収束部材４１の第１領域Ａ１と磁界収束部材４２の第１領域Ｂ１との間で、磁界センサ４０の動作磁界方向に沿って磁界センサ４０に流入して通過するため、磁界センサ４０は磁気発生部材３１の磁気を検知することができる。
【００４６】
図６（Ｂ）は、磁気発生部材３１の磁極対が第２軸Ｙに沿って配置されている場合を示し、磁束φは、磁界収束部材４１の第２領域Ａ２の磁界センサ４０側とは反対側で第２軸Ｙと交差する端縁（外側端縁）ａ３から磁界収束部材４１に流入し、磁界収束部材４１の第２領域Ａ２及び第３領域Ａ３を経て第１領域Ａ１の内側端縁ａ１に向けて収束される。そして、磁束φは、磁界収束部材４１の第１領域Ａ１と磁界収束部材４２の第１領域Ｂ１との間で第１軸Ｘに沿って（つまり、磁界センサ４０の動作磁界方向に沿って）磁界センサ４０に流入して通過し、磁界収束部材４２の第１領域Ｂ１及び第３領域Ｂ３を経て第２領域Ｂ２の外側端縁ｂ３から放射されて磁気発生部材３１に流入する。したがって、磁気発生部材３１の磁極対が第２軸Ｙに沿って配置されている場合も、磁束φは、磁界収束部材４１の第２領域Ａ２及び第３領域Ａ３を経て、磁界収束部材４１の第１領域Ａ１と磁界収束部材４２の第１領域Ｂ１との間で、磁界センサ４０の動作磁界方向に沿って磁界センサ４０に流入して通過するため、磁界センサ４０は磁気発生部材３１の磁気を検知することができる。
【００４７】
図６（Ｃ）は、磁気発生部材３１の磁極対が第１軸Ｘ及び第２軸Ｙに略４５°の角度で交差する軸に沿って配置されている場合を示し、磁束φは、磁界収束部材４１の第３領域Ａ３の磁界センサ４０側とは反対側の端縁（外側端縁）ａ４から磁界収束部材４１に流入し、磁界収束部材４１の第３領域Ａ３を経て第１領域Ａ１の内側端縁ａ１に向けて収束される。そして、磁束φは、磁界収束部材４１の第１領域Ａ１と磁界収束部材４２の第１領域Ｂ１との間で第１軸Ｘに沿って（つまり、磁界センサ４０の動作磁界方向に沿って）磁界センサ４０に流入して通過し、磁界収束部材４２の第１領域Ｂ１を経て第３領域Ｂ３の外側端縁ｂ４から放射されて磁気発生部材３１に流入する。したがって、磁気発生部材３１の磁極対が第１軸Ｘ及び第２軸Ｙに略４５°の角度で交差する軸に沿って配置されている場合も、磁束φは、磁界収束部材４１の第３領域Ａ３を経て磁界収束部材４１の第１領域Ａ１と磁界収束部材４２の第１領域Ｂ１との間で、磁界センサ４０の動作磁界方向に沿って磁界センサ４０に流入して通過するため、磁界センサ４０は磁気発生部材３１の磁気を検知することができる。
【００４８】
このように、磁界センサ４０の周囲を取り囲む磁界収束部材４１，４２の第１領域Ａ１，Ｂ１及び第２領域Ａ２，Ｂ２並びに第３領域Ａ３，Ｂ３によって、磁界センサ４０の動作磁界方向に磁界センサ４０を間に挟む第１領域Ａ１，Ｂ１に磁束φを収束させ、磁束φを磁界センサ４０の動作磁界方向に通過させることができる。これにより、磁気発生部材３１の磁極対が磁界センサ４０の動作磁界方向から逸れて配置されていても、磁気検知部２１によって磁気発生部材３１の磁気を検知することが可能となる。
【００４９】
そして、磁界センサ４０単体の検知可能範囲が磁界センサ４０の直上の極めて狭い範囲にとどまるのに対し、磁界センサ４０の周囲を取り囲む磁界収束部材４１，４２を設けることにより、磁気検知部２１の検知可能範囲は、磁界収束部材４１，４２の周囲にまで広がり、磁界センサ４０単体の検知可能範囲に比べて拡大される。
【００５０】
以上により、磁界センサ４０に対する磁気発生部材３１の正確な位置及び姿勢合わせを不要とし、磁気応答玩具１の取り扱いを容易とすることができる。
【００５１】
好ましくは、磁界センサ４０と磁界収束部材４１，４２の各々の第２領域Ａ２，Ｂ２との間の隙間ｇ２は、磁界センサ４０と磁界収束部材４１，４２の各々の第１領域Ａ１，Ｂ１との間の隙間ｇ１より大きくされる。これにより、磁気発生部材３１の磁極対が第２軸Ｙに沿って配置されている場合に、磁束φが第２領域Ａ２，Ｂ２間で磁界センサ４０の動作磁界方向と直交する第２軸Ｙに沿って磁界センサ４０を通過することを抑制し、より確実に第１領域Ａ１，Ｂ１に磁束φを収束させ、磁束φを磁界センサ４０の動作磁界方向に通過させることができ、磁気検知部２１の検知精度を高めることができる。
【００５２】
また、好ましくは、磁界収束部材４１の第２領域Ａ２と磁界収束部材４２の第１領域との隙間は、磁界収束部材４１の第１領域と磁界センサ４０との隙間より大きくされ、かつ、磁界収束部材４２の第２領域Ａ２と磁界収束部材４１の第１領域との隙間は、磁界収束部材４２の第１領域と磁界センサ４０との隙間より大きくされる。これにより、磁気発生部材３１の磁極対が第２軸Ｙに沿って配置されている場合に、磁束φが磁界収束部材４１の第２領域Ａ２の端縁ａ３から流入し、磁界収束部材４２の第１領域Ｂ１に向けて放出されることを抑制し、また、磁束φが磁界収束部材４２の第２領域Ｂ２の端縁ｂ３から流入し、磁界収束部材４１の第１領域Ａ１に向けて放出されることを抑制し、端縁ａ３、ｂ３から流入した磁束φをより確実に第１領域Ａ１，Ｂ１に収束させ、磁束φを磁界センサ４０の動作磁界方向に通過させることができ、磁気検知部２１の検知精度を高めることができる。
【００５３】
また、好ましくは、磁界収束部材４１，４２の各々の第１領域Ａ１，Ｂ１の外側端縁ａ２，ｂ２の長さｌ２と、第２領域Ａ２，Ｂ２の外側端縁ａ３，ｂ３の長さｌ３とは略等しくされる。これにより、磁気発生部材３１の磁極対が第１軸Ｘに沿って配置されている場合の磁気検知部２１の検知感度と、磁気発生部材３１の磁極対が第２軸Ｙに沿って配置されている場合の磁気検知部２１の検知感度とを略等しくすることができる。
【００５４】
なお、第３領域Ａ３、Ｂ３の外側端縁ａ４、ｂ４の、第１軸Ｘおよび第２軸に対する傾斜角度は４５°に限らないが、好ましくは磁界収束部材４１，４２の各々の第３領域Ａ３，Ｂ３の外側端縁ａ４，ｂ４は、第１軸Ｘ及び第２軸Ｙに対して略４５°の角度で傾斜していることが好ましい。これにより、磁気発生部材３１の磁極対が第１軸Ｘ及び第２軸Ｙに対して傾斜して配置されている場合の磁気検知部２１の検知感度を、第１軸Ｘ及び第２軸Ｙに略４５°の角度で交差する軸、つまりは第１軸Ｘ及び第２軸Ｙの対称軸の両側で均衡させることができる。
【００５５】
なお、磁界収束部材４１，４２の各々の第１領域Ａ１，Ｂ１の外側端縁ａ２，ｂ２、第２領域の外側端縁ａ３，ｂ３、第３領域の外側端縁ａ４，ｂ４は、直線状に限られるものではなく曲線状であってもよい。
【００５６】
また、磁界収束部材４１、４２を形成する磁性材料は、透磁率が高く、残留磁束密度が小さい（保磁力が小さい）軟磁性材料が好ましく、電磁鋼板やパーマロイなどを例示することができる。残留磁束密度が小さい軟磁性材料を用いることにより、磁界収束部材４１、４２自体が永続的に磁化されることを防止し、磁気検知部２１における磁気の誤検知を防止することができる。
【００５７】
例えば、主玩具体２と副玩具体３とが同じ場所に（おもちゃ箱等）に保管され、副玩具体３が主玩具体２の磁気検知部２１に接触し又は近接して配置されたままとなった場合に、仮に磁界収束部材４１、４２を形成する磁性材料が残留磁束密度の大きい硬磁性材料であると、磁界収束部材４１、４２自体が永続的に磁化してしまい、使用に際して副玩具体３を主玩具体２から離した後も、磁化した磁界収束部材４１、４２が発する磁界を磁界センサ４０が常に検知している状態となり、磁気検知部２１における磁気検知に不具合が生じる。
【００５８】
そこで、磁界収束部材４１、４２を形成する磁性材料に軟磁性材料を用いることにより、上記の場合にも磁界収束部材４１、４２自体が永続的に磁化されることを防止することができ、副玩具体３の磁気発生部材３１が発する磁気を磁気検知部２１において適切に検知することができる。
【００５９】
なお、本明細書において、軟磁性材料とは、初透磁率が６５０〜１００，０００μｉ、最大透磁率が１０，０００μｍ〜５００，０００μｍ程度、また、飽和磁束密度が０．３８〜２．４５Ｔ、保磁力が０．３２〜８０Ａ／ｍ程度の磁性材料をいうものとし、より具体的な材料名称としては電磁鋼板（珪素鋼板）やパーマロイ等がこれに該当するが、玩具に用いる場合、安価で、かつ、比較的発明の目的を達するために必要な性質が良い、方向性電磁鋼板を用いるのが望ましく、例えば、初透磁率が１４，０００μｉ程度、最大透磁率が４０，０００μｍ程度、飽和磁束密度が２．００Ｔ程度、保磁力が８Ａ／ｍ程度のものが望ましい。
【００６０】
以上、主玩具体２が剣として構成され、副玩具体３がベルトとして構成された磁気応答玩具１を例に本発明の実施形態を説明したが、本発明は上述したものに限られない。主玩具体２と副玩具体３は、剣とベルトに限らず、それぞれ、例えば剣、斧、槍、薙刀、銃、弓矢、小手等の武具、ベルト、メダル、携帯電話、化粧用具、腕輪、車両玩具、人形体、動物人形等の形象物、カード、マスコット、等で構成することもできる。
【００６１】
また、以上に、主玩具体２が磁気検知部２１と、操作部としてのトリガーボタン２２と、動作部としての音声発生部２３及び発光部２４と、動作モード毎の音声発生部２３及び発光部２４の動作データを記憶した動作記憶部２５と、動作制御部２６と、電源部２７とを備えた磁気応答玩具１を例に本発明の実施形態を説明したが、本発明は上述したものに限られない。例えば、主玩具体２は、磁気検知部２１と、磁気検知部２１が磁気を検知したことに応じて音声や光を用いて演出動作する動作部と、を備え、副玩具体３には、例えば永久磁石や電磁石などの磁気発生部材３１を備えた、磁気応答玩具とすることもできる。この構成の磁気応答玩具によれば、例えば、主玩具体２と副玩具体３とが接触し又は近接することにより、磁気検知部２１が磁気を検知可能な範囲内に磁気発生部材３１が位置して、磁気発生部３１が発する磁気を磁気検知部２１が検知したことに応じて、動作部を動作可能とするものとすることもできる。
【００６２】
また、動作部としては、音声や光を用いて演出動作するものを例に本発明の実施形態を説明したが、本発明は上述したものに限られない。音声や光に限らず、例えばモータやサーボ等の作動装置を備え、当該作動装置により主玩具体の一部が動かされるものとすることもできる。
【符号の説明】
【００６３】
１     磁気応答玩具
２     主玩具体
３     副玩具体
２１   磁気検知部
２２   トリガーボタン（操作部）
２３   音声発生部
２４   発光部
２５   動作記憶部
２６   動作制御部
２７   電源部
３０   磁界センサ
３１   磁気発生部材
４０   磁界センサ
４１，４２     磁界収束部材
４３   側面
Ａ１，Ｂ１     第１領域
Ａ２，Ｂ２     第２領域
Ａ３，Ｂ３     第３領域
Ｘ     第１軸
Ｙ     第２軸
【図１】
2017018188.tif 000003
【図２】
2017018188.tif 000004
【図３】
2017018188.tif 000005
【図４】
2017018188.tif 000006
【図５】
2017018188.tif 000007
【図６】
2017018188.tif 000008